(57)【要約】【課題】ＳＯＮ技術をサポートする移動通信システムにおいて、バッテリーの状況を考慮して基地局の設定を最適化できるようにする。【解決手段】バッテリー１２−１を備え、該バッテリー１２−１から供給される電力によって駆動可能な基地局１０−１は、基地局１０−２が備えるバッテリー１２−２の蓄電残量を示すＢａｔｔｅｒｙ  Ｓｔａｔｕｓ  ＩＥを要求するためのＲＥＳＯＵＲＣＥ  ＳＴＡＴＵＳ  ＲＥＱＵＥＳＴメッセージを、基地局１０−２に対して送信する。【選択図】図７
2013021428.tif 000002
【特許請求の範囲】
【請求項１】
第１のバッテリーを備え、該第１のバッテリーから供給される電力によって駆動可能な基地局における通信制御方法であって、
他の基地局が備える第２のバッテリーの蓄電残量を示す蓄電残量情報を要求するための蓄電残量要求を、前記他の基地局に対して送信する送信ステップを含む、ことを特徴とする通信制御方法。
【請求項２】
前記送信ステップは、前記第１のバッテリーの蓄電残量が閾値未満になった場合に、前記蓄電残量要求を前記他の基地局に対して送信し、
当該通信制御方法は、前記第１のバッテリーの蓄電残量が前記閾値以上である場合に、前記蓄電残量要求を送信しないよう制御するステップをさらに含む、ことを特徴とする請求項１に記載の通信制御方法。
【請求項３】
前記蓄電残量要求に応じて前記他の基地局から送信された前記蓄電残量情報を受信する受信ステップと、
前記第１のバッテリーの蓄電残量と、前記受信ステップで受信した前記蓄電残量情報によって示される前記第２のバッテリーの蓄電残量と、の比較の結果に応じて、前記基地局及び前記他の基地局のそれぞれの負荷を調整するための処理を行う調整ステップと、
をさらに含むことを特徴とする請求項１又は２に記載の通信制御方法。
【請求項４】
前記調整ステップは、前記第１のバッテリーの蓄電残量が、前記受信ステップで受信した前記蓄電残量情報によって示される前記第２のバッテリーの蓄電残量よりも少ないことに応じて、前記基地局の負荷を減らすとともに前記他の基地局の負荷を増やすための処理を行うステップを含む、ことを特徴とする請求項３に記載の通信制御方法。
【請求項５】
前記閾値は、前記第１のバッテリーの過放電を示す下限値よりも高い値に設定されている、ことを特徴とする請求項２に記載の通信制御方法。
【請求項６】
第１のバッテリーを備え、該第１のバッテリーから供給される電力によって駆動可能な基地局であって、
他の基地局が備える第２のバッテリーの蓄電残量を示す蓄電残量情報を要求するための蓄電残量要求を、前記他の基地局に対して送信するように構成されている、ことを特徴とする基地局。
【発明の詳細な説明】
【技術分野】
【０００１】
本発明は、ＳＯＮ技術をサポートする移動通信システムにおける通信制御方法及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で標準化されているＬＴＥ（Ｌｏｎｇ  Ｔｅｒｍ  Ｅｖｏｌｕｔｉｏｎ）には、ＳＯＮ（Ｓｅｌｆ  Ｏｒｇａｎｉｚｉｎｇ  Ｎｅｔｗｏｒｋ）と称される技術が採用されている。
【０００３】
ＳＯＮ技術は、基地局の運用中に、人手を要さずに基地局の設定を自動で最適化するものである（例えば、非特許文献１参照）。
【０００４】
ＳＯＮ技術の一つとして、複数の基地局において負荷の偏りがある場合に、各基地局のカバレッジを調整することによって、該複数の基地局間で負荷を分散（平準化）するＭＬＢ（Ｍｏｂｉｌｉｔｙ  Ｌｏａｄ  Ｂａｌａｎｃｉｎｇ）と称される技術がある。
【先行技術文献】
【非特許文献】
【０００５】
【非特許文献１】３ＧＰＰ技術レポート  「ＴＲ  ３６．９０２  V９．１．０」  ２０１０年３月
【発明の概要】
【発明が解決しようとする課題】
【０００６】
しかしながら、３ＧＰＰ規格で規定されているＳＯＮ技術においては、昨今の大規模停電等に代表される電力事情が考慮されていない。よって、そのような電力事情を考慮して基地局間の負荷分散制御を行うことができないという問題がある。
【０００７】
そこで、本発明は、ＳＯＮ技術をサポートする移動通信システムにおいて、上述の課題を解決することを目的とする。
【課題を解決するための手段】
【０００８】
上述した課題を解決するために、本発明は以下のような特徴を有している。
【０００９】
本発明に係る通信制御方法の特徴は、第１のバッテリー（バッテリー１２−１）を備え、該第１のバッテリーから供給される電力によって駆動可能な基地局（基地局１０−１）における通信制御方法であって、他の基地局（基地局１０−２）が備える第２のバッテリー（バッテリー１２−２）の蓄電残量を示す蓄電残量情報を要求するための蓄電残量要求を、前記他の基地局に対して送信する送信ステップを含む、ことを要旨とする。
【００１０】
このような特徴によれば、他の基地局への要求により、該他の基地局が備える第２のバッテリーの蓄電残量を示す蓄電残量情報を得ることができる。これにより、自局が備える第１のバッテリーの蓄電残量と他の基地局が備える第２のバッテリーの蓄電残量とを考慮してＳＯＮを実施することができる。
【００１１】
本発明に係る通信制御方法の他の特徴は、上述した特徴において、前記送信ステップは、前記第１のバッテリーの蓄電残量が閾値未満になった場合に、前記蓄電残量要求を前記他の基地局に対して送信し、当該通信制御方法は、前記第１のバッテリーの蓄電残量が前記閾値以上である場合に、前記蓄電残量要求を送信しないよう制御するステップをさらに含む、ことを要旨とする。
【００１２】
このような特徴によれば、自局が備える第１のバッテリーの蓄電残量が多く、自局の負荷を減らす負荷分散制御を行う必要がない場合には、他の基地局への蓄電残量要求を送信しないことによって、基地局間のシグナリングを抑制し、基地局間のトラフィックを削減できる。
【００１３】
本発明に係る通信制御方法の他の特徴は、上述した特徴において、前記蓄電残量要求に応じて前記他の基地局から送信された前記蓄電残量情報を受信する受信ステップと、前記第１のバッテリーの蓄電残量と、前記受信ステップで受信した前記蓄電残量情報によって示される前記第２のバッテリーの蓄電残量と、の比較の結果に応じて、前記基地局及び前記他の基地局のそれぞれの負荷を調整するための処理を行う調整ステップと、をさらに含むことを要旨とする。
【００１４】
このような特徴によれば、自局が備える第１のバッテリーの蓄電残量と他の基地局が備える第２のバッテリーの蓄電残量とを比較し、各蓄電残量を平準化するように負荷分散制御を行うことができる。その結果、バッテリーの蓄電残量が不足することによって通信が不能になるといった問題の発生を抑制できる。
【００１５】
本発明に係る通信制御方法の他の特徴は、上述した特徴において、前記調整ステップは、前記第１のバッテリーの蓄電残量が、前記受信ステップで受信した前記蓄電残量情報によって示される前記第２のバッテリーの蓄電残量よりも少ないことに応じて、前記基地局の負荷を減らすとともに前記他の基地局の負荷を増やすための処理を行うステップを含む、ことを要旨とする。
【００１６】
このような特徴によれば、自局が備える第１のバッテリーと比して、他の基地局が備える第２のバッテリーの蓄電残量に余裕がある場合には、自局の負荷の一部を該他の基地局に転嫁することによって、自局の消費電力を削減できる。これにより、自局が備える第１のバッテリーの蓄電残量が不足することによって通信が不能になるといった問題の発生を抑制できる。
【００１７】
本発明に係る通信制御方法の他の特徴は、上述した特徴において、前記閾値は、前記第１のバッテリーの過放電を示す下限値よりも高い値に設定されている、ことを要旨とする。
【００１８】
このような特徴によれば、自局が備える第１のバッテリーが過放電の状態になる手前の段階で、負荷分散制御を開始することが可能になるため、自局が備える第１のバッテリーが過放電の状態になることを防止できる。
【００１９】
本発明に係る基地局の特徴は、第１のバッテリーを備え、該第１のバッテリーから供給される電力によって駆動可能な基地局であって、他の基地局が備える第２のバッテリーの蓄電残量を示す蓄電残量情報を要求するための蓄電残量要求を、前記他の基地局に対して送信するように構成されている、ことを要旨とする。
【発明の効果】
【００２０】
本発明によれば、バッテリーの状況を考慮して基地局間の負荷分散制御を行うことが可能になる。
【図面の簡単な説明】
【００２１】
【図１】本発明の実施形態に係る移動通信システムの全体構成図である。
【図２】本発明の実施形態に係る基地局のブロック図である。
【図３】本発明の実施形態に係る蓄電残量情報の送受信に係る基地局間シグナリングのシーケンス図である（その１）。
【図４】本発明の実施形態に係る蓄電残量情報の送受信に係る基地局間シグナリングのシーケンス図である（その２）。
【図５】本発明の実施形態に係るＲＥＳＯＵＲＣＥ  ＳＴＡＴＵＳ  ＲＥＱＵＥＳＴメッセージの情報要素を説明するための図である。
【図６】本発明の実施形態に係るＲＥＳＯＵＲＣＥ  ＳＴＡＴＵＳ  ＵＰＤＡＴＥメッセージの情報要素を説明するための図である。
【図７】本発明の実施形態に係る移動通信システムの動作シーケンス図である。
【発明を実施するための形態】
【００２２】
図面を参照して、本発明の実施形態を説明する。以下の実施形態における図面において、同一又は類似の部分には同一又は類似の符号を付す。
【００２３】
（１）全体システム構成
図１は、本実施形態に係る移動通信システム１の全体構成図である。移動通信システム１は、ＬＴＥ（３ＧＰＰリリース８、９）又はＬＴＥ  Ａｄｖａｎｃｅｄ（３ＧＰＰリリース１０以降）に基づいて構成される。
【００２４】
図１に示すように、移動通信システム１は、無線アクセスネットワークであるＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）を有する。Ｅ−ＵＴＲＡＮは、複数の基地局（ｅＮＢ；ｅｖｏｌｖｅｄ  Ｎｏｄｅ  Ｂ）１０を含む。
【００２５】
複数の基地局１０のそれぞれは、系統からの電力によって駆動可能である。また、詳細については後述するが、基地局１０は、バッテリーを含んで構成されており、系統からの電力供給が停止（すなわち、停電）しても、バッテリーに蓄電されている電力によって駆動（自立運転）できるように構成される。
【００２６】
また、複数の基地局１０のそれぞれは、１又は複数のセルを形成する。ここで、セルとは、無線端末（ＵＥ；Ｕｓｅｒ  Ｅｑｕｉｐｍｅｎｔ）２０が通信可能な無線通信エリアの最小単位である。
【００２７】
無線端末２０-１は、基地局１０-１が形成するセルに在圏しており、基地局１０-１との通信を行う。無線端末２０-２は、基地局１０-２が形成するセルに在圏しており、基地局１０-２との通信を行う。無線端末２０-３は、基地局１０-３が形成するセルに在圏しており、基地局１０-３との通信を行う。
【００２８】
無線端末２０は、移動等に伴って、より無線状態の良好な基地局への切り替えを行う。このような基地局切り替えは、接続状態においてはハンドオーバと称され、アイドル状態においてはセル再選択と称される。本移動通信システムでは、無線端末２０のハンドオーバを行うか否かの決定権、及びハンドオーバ先の決定権は、無線端末２０の接続先の基地局が持つ。
【００２９】
移動通信システム１は、ＳＯＮ技術の一つであるＭＬＢ（Ｍｏｂｉｌｉｔｙ  Ｌｏａｄ  Ｂａｌａｎｃｉｎｇ）技術をサポートしており、基地局間の負荷を平準化するために、基地局間で送受信される負荷情報に基づいて、セル範囲（カバレッジ）を調整可能に構成される。
【００３０】
移動通信システム１においては、（相互に隣接する）基地局１０を相互接続するためのＸ２インターフェースが設定される。基地局１０は、Ｘ２インターフェースを用いて、自局に隣接する他の基地局１０との基地局間通信を行うように構成される。
【００３１】
さらに、移動通信システム１は、コアネットワークであるＥＰＣ（Ｅｖｏｌｖｅｄ  Ｐａｃｋｅｔ  Ｃｏｒｅ）を有する。
【００３２】
ＥＰＣは、複数の移動管理装置（ＭＭＥ；Ｍｏｂｉｌｉｔｙ  Ｍａｎａｇｅｍｅｎｔ  Ｅｎｔｉｔｙ）／ゲートウェイ装置（Ｓ−ＧＷ；Ｓｅｒｖｉｎｇ  Ｇａｔｅｗａｙ）３０を含む。移動管理装置は、無線端末２０に対する各種モビリティ制御を行うように構成される。ゲートウェイ装置は、無線端末２０が送受信するユーザデータの転送制御を行うように構成される。
【００３３】
基地局１０とＥＰＣとの間には、各基地局１０をＥＰＣに接続するためのＳ１インターフェースが設定される。基地局１０は、Ｓ１インターフェースを用いて、ＥＰＣとの通信を行うように構成される。
【００３４】
（２）基地局の構成
次に、基地局１０の構成を説明する。図２は、基地局１０のブロック図である。図２において、各ブロック間における太線は電力ラインを示し、細線は通信信号ラインを示し、破線は制御信号ラインを示す。また、系統とは電力会社の配電系統を指し、バックホールネットワークとは通信事業者が構築する通信インフラネットワークを指す。
【００３５】
図２に示すように、基地局１０は、太陽光発電装置（以下、ＰＶと称する）１１と、バッテリー１２と、通信部１３と、電力伝達手段１４と、測定部１５と、記憶部１６と、制御部１７とを有する。本実施形態では、バッテリー１２、通信部１３、電力伝達手段１４、測定部１５、記憶部１６、制御部１７は、基地局本体（ケース体）１８に設けられる。
【００３６】
ＰＶ１１は、太陽光を受けて発電し、発電により得られた電力を出力する。本実施形態では、ＰＶ１１は、基地局本体１８とは別体で構成されているが、基地局本体１８と一体に構成されてもよい。
【００３７】
なお、本実施形態では、基地局１０がＰＶ１１を搭載する構成を主として説明するが、基地局１０は必ずしもＰＶ１１を搭載していなくてもよい。
【００３８】
通信部１３は、無線端末２０との無線通信を行うための無線通信部１３１と、ネットワーク側（ＥＰＣや他の基地局）との通信を行うためのネットワーク通信部１３２とを含む。
【００３９】
バッテリー１２は、ＰＶ１１で発電された電力と系統からの電力とを蓄電し、蓄電した電力を制御部１７の制御下で放電する。バッテリー１２は、例えばリチウム系のものであるが、電気自動車で使われたリサイクル型のものであってもよい。なお、ＰＶ１１を搭載しない基地局の場合、バッテリー１２は、系統からの電力を蓄電するＵＰＳ（Ｕｎｉｎｔｅｒｒｕｐｔｉｂｌｅ  Ｐｏｗｅｒ  Ｓｕｐｐｌｙ）システムのタイプでもよい。
【００４０】
電力伝達手段１４は、基地局１０の各ブロックに対して、系統からの電力を伝達するための経路（第１経路）１４１と、バッテリー１２からの電力を伝達するための経路（第２経路）１４２と、ＰＶからの電力を伝達するための経路（第３経路）１４３と、各経路を選択的にスイッチングするためのスイッチ（以下、ＳＷと称する）１４４と、を含む。
【００４１】
図２においては、ＳＷ１４４から通信部１３へ電力を伝達するための経路を図示しているが、実際には、ＳＷ１４４から他のブロック（制御部１７等）へ電力を伝達するための各経路も設けられる。
【００４２】
測定部１５は、制御部１７の制御下で、バッテリー１２に蓄電されている電力（以下、蓄電残量と称する）を測定する。測定部１５は、蓄電残量を測定すると、測定結果を記憶部に出力する。
【００４３】
記憶部１６は、制御部１７による制御に用いられる各種の情報を記憶する。本実施形態では、記憶部１６は、測定部１５による蓄電残量の測定結果を記憶する。
【００４４】
制御部１７は、基地局１０の各種の機能を制御する。本実施形態では、制御部１７は、通信制御部１７１と電力制御部１７２とを有する。
【００４５】
通信制御部１７１は、通信部１３を制御する。詳細には、通信制御部１７１は、無線端末２０との無線通信（無線通信部１３１による通信）と、Ｘ２インターフェース及びＳ１インターフェースを用いた通信（ネットワーク通信部１３２による通信）とを制御する。
【００４６】
通信制御部１７１は、バッテリー１２の蓄電残量を記憶部１６から取得し、バッテリー１２の蓄電残量を閾値Ａと比較する。閾値Ａは、バッテリー１２の過放電を示す下限値よりも高い値であり、記憶部１６に予め記憶されている。そして、通信制御部１７１は、バッテリー１２の蓄電残量が閾値Ａ未満になった場合に、他の基地局が備えるバッテリーの蓄電残量を示す蓄電残量情報を要求するための蓄電残量要求を、該他の基地局に対して送信するようネットワーク通信部１３２を制御する。これに対し、通信制御部１７１は、バッテリー１２の蓄電残量が閾値Ａ以上である場合には、蓄電残量要求を他の基地局に対して送信しないようネットワーク通信部１３２を制御する。
【００４７】
また、通信制御部１７１は、他の基地局からの蓄電残量要求をネットワーク通信部１３２が受信した場合には、以下のような制御を行う。他の基地局からの蓄電残量要求をネットワーク通信部１３２が受信すると、通信制御部１７１は、バッテリー１２の蓄電残量を示す情報（以下、蓄電残量情報と称する）取得し、取得した蓄電残量情報を、該他の基地局に送信するようネットワーク通信部１３２を制御する。
【００４８】
ここで、蓄電残量情報とは、バッテリー１２の蓄電残量の値（ワット数（Ｗ））であってもよく、バッテリー１２の蓄電残量の度合いを示す指標（例えば、Ｆｕｌｌが“11”、Ｍｉｄｄｌｅが“１０”、Ｌｏｗが“０１”、Ｅｍｐｔｙが“００”）であってもよい。
【００４９】
さらに、通信制御部１７１は、他の基地局からの蓄電残量情報をネットワーク通信部１３２が受信すると、受信した蓄電残量情報に基づいて、自局の負荷及び／又は該他の基地局の負荷を調整するための制御を行う。
【００５０】
本実施形態では、通信制御部１７１は、他の基地局の蓄電残量と自局の蓄電残量とを比較した結果、該自局の蓄電残量の方が少ないと判断した場合、自局が収容すべき無線端末２０の数を減らすように負荷分散制御を行う。例えば、ハンドオーバ先として該他の基地局が優先されるようにハンドオーバ処理を行う、又はハンドオーバパラメータを調整する。あるいは、待ち受け先として該他の基地局が優先されるようにセル再選択パラメータを調整してもよい。
【００５１】
電力制御部１７２は、ＳＷ１４４及びバッテリー１２を制御する。電力制御部１７２は、バッテリー１２から各ブロックへ電力を供給するようＳＷ１４４を制御する。基地局１０がＰＶ１１を搭載する場合、バッテリー１２だけでなく、ＰＶ１１からも電力を供給するよう制御する。この場合、バッテリー１２の放電制御については、時間帯や気象情報等に基づいてＰＶ１１による発電電力の不足分をバッテリー１２で賄うよう制御することが望ましい。
【００５２】
電力制御部１７２は、バッテリー１２の蓄電残量の測定を開始するよう測定部１５を制御する。例えば、測定は周期的（例えば、２０ｍｓｅｃ〜数分毎）に実行される。
【００５３】
電力制御部１７２は、記憶部１６を制御する。電力制御部１７２は、蓄電残量の測定結果を記憶部１６に記憶させる。電力制御部１７２は、測定がなされる度に、記憶部１６に記憶される蓄電残量情報を更新する。記憶部１６に記憶された蓄電残量情報は、上述したように、通信制御部１７１で利用される。
【００５４】
電力制御部１７２は、バッテリー１２の充放電スケジュールや、基地局１０の各ブロックに対する電力供給スケジュールを決定する。例えば、ＰＶ１１、バッテリー１２、および系統からの電力によって駆動する基地局１０の場合、電力制御部１７２は、昼時間帯における電力価格よりも低価格となる深夜時間帯の電力をバッテリー１２に充電し、例えば、午前７時からバッテリー１２に蓄電された電力によって基地局１０が駆動するように制御する。このとき、電力制御部１７２は、ＰＶ１１で発電された電力も適宜基地局１０が消費するように制御する。また、電力制御部１７２は、バッテリー１２およびＰＶ１１からの電力が不足する場合には、緊急的に系統からの電力によって基地局１０が駆動するように制御する。このような基地局１０の場合には、バッテリー１２がメイン電源の一つとなる。
【００５５】
（３）メッセージ構成
次に、基地局１０間で送受信されるメッセージの構成を説明する。図３及び図４は、蓄電残量情報の送受信に係る基地局間シグナリングのシーケンス図である。図３及び図４においては、相互に隣接する各基地局１０の一方をｅＮＢ１と表記し、他方をｅＮＢ２と表記している。
【００５６】
図３に示すように、ｅＮＢ１は、Ｘ２インターフェースを用いて、蓄電残量情報の送信要求（蓄電残量要求）を含むＲＥＳＯＵＲＣＥ  ＳＴＡＴＵＳ  ＲＥＱＵＥＳＴメッセージをｅＮＢ２に送信する。ｅＮＢ２は、Ｘ２インターフェースを用いて、蓄電残量要求を含むＲＥＳＯＵＲＣＥ  ＳＴＡＴＵＳ  ＲＥＱＵＥＳＴメッセージを受信する。
【００５７】
ｅＮＢ２は、Ｘ２インターフェースを用いて、ＲＥＳＯＵＲＣＥ  ＳＴＡＴＵＳ  ＲＥＱＵＥＳＴメッセージに対する肯定応答であるＲＥＳＯＵＲＣＥ  ＳＴＡＴＵＳ  ＲＥＳＰＯＮＳＥメッセージをｅＮＢ１に送信する。ｅＮＢ１は、Ｘ２インターフェースを用いて、ＲＥＳＯＵＲＣＥ  ＳＴＡＴＵＳ  ＲＥＳＰＯＮＳＥメッセージを受信する。
【００５８】
なお、ＲＥＳＯＵＲＣＥ  ＳＴＡＴＵＳ  ＲＥＱＵＥＳＴメッセージは、複数の測定対象項目の中から１つ又は複数を指定可能に構成されているが、指定された測定対象項目の何れも実行できない場合等においては、ＲＥＳＯＵＲＣＥ  ＳＴＡＴＵＳ  ＲＥＳＰＯＮＳＥメッセージに代えてＲｅｓｏｕｒｃｅ  Ｓｔａｔｕｓ  Ｆａｉｌｕｒｅメッセージが送信される。
【００５９】
図４に示すように、ＲＥＳＯＵＲＣＥ  ＳＴＡＴＵＳ  ＲＥＳＰＯＮＳＥメッセージを送信したｅＮＢ２は、ＲＥＳＯＵＲＣＥ  ＳＴＡＴＵＳ  ＲＥＱＵＥＳＴメッセージで指定された条件に従って測定を行い、測定結果を示すＲＥＳＯＵＲＣＥ  ＳＴＡＴＵＳ  ＵＰＤＡＴＥメッセージを定期的にｅＮＢ１に送信する。
【００６０】
図５は、ＲＥＳＯＵＲＣＥ  ＳＴＡＴＵＳ  ＲＥＱＵＥＳＴメッセージの情報要素（ＩＥ）を説明するための図である。図５の下線部以外は、３ＧＰＰ規格で規定されるＲＥＳＯＵＲＣＥ  ＳＴＡＴＵＳ  ＲＥＱＵＥＳＴメッセージのＩＥと同じである（例えば、３ＧＰＰ  ＴＳ  ３６．４２３  V１０．１．０  「９．１．２．１１  ＲＥＳＯＵＲＣＥ  ＳＴＡＴＵＳ  ＲＥＱＵＥＳＴ」参照）。
【００６１】
図５に示すように、ＲＥＳＯＵＲＣＥ  ＳＴＡＴＵＳ  ＲＥＱＵＥＳＴメッセージは、測定対象項目を指定するためのＲｅｐｏｒｔ  Ｃｈａｒａｃｔｅｒｉｓｔｉｃｓにおいて、蓄電残量情報を指定可能に構成されている点が現行のＲＥＳＯＵＲＣＥ  ＳＴＡＴＵＳ  ＲＥＱＵＥＳＴメッセージとは異なる。
【００６２】
詳細には、Ｒｅｐｏｒｔ  Ｃｈａｒａｃｔｅｒｉｓｔｉｃｓは、ビットの位置が測定対象項目と対応付けられたビット列として構成されており、１ビット目がＰＲＢ  Ｐｅｒｉｏｄｉｃ、２ビット目がＴＮＬ  ｌｏａｄ  Ｉｎｄ  Ｐｅｒｉｏｄｉｃ、３ビット目がＨＷ  Ｌｏａｄ  Ｉｎｄ  Ｐｅｒｉｏｄｉｃ、４ビット目がＣｏｍｐｏｓｉｔｅ  Ａｖａｉｌａｂｌｅ  Ｃａｐａｃｉｔｙ  Ｐｅｒｉｏｄｉｃ、５ビット目がＡＢＳ  Ｓｔａｔｕｓ  Ｐｅｒｉｏｄｉｃ、６ビット目がＢａｔｔｅｒｙ  Ｓｔａｔｕｓ  Ｐｅｒｉｏｄｉｃに対応する。ここで、Ｂａｔｔｅｒｙ  Ｓｔａｔｕｓ  Ｐｅｒｉｏｄｉｃに対応するビット（６ビット目）が“１”であることは、Ｂａｔｔｅｒｙ  Ｓｔａｔｕｓの測定・送信を要求することに相当する。
【００６３】
ここで、Ｂａｔｔｅｒｙ  Ｓｔａｔｕｓは蓄電残量情報に相当する。なお、ＰＲＢは時間周波数リソースの割り当て単位であるＰＲＢ（Ｐｈｙｓｉｃａｌ  Ｒｅｓｏｕｒｃｅ  Ｂｌｏｃｋ）の使用数を示し、ＴＮＬ  ｌｏａｄ  Ｉｎｄは基地局とコアネットワークとの間のバックホールの負荷を示し、ＨＷ  Ｌｏａｄ  Ｉｎｄは基地局のハードウェア負荷を示し、Ｃｏｍｐｏｓｉｔｅ  Ａｖａｉｌａｂｌｅ  Ｃａｐａｃｉｔｙは基地局の相対的な通信容量を示す指標である容量クラスとその中で利用可能な通信容量の割合を示す。また、ＲＥＳＯＵＲＣＥ  ＳＴＡＴＵＳ  ＲＥＱＵＥＳＴメッセージは、測定結果の報告（送信）を行う周期をＲｅｐｏｒｔｉｎｇ  Ｐｅｒｉｏｄｉｃｉｔｙで指定可能に構成されている。
【００６４】
図６は、ＲＥＳＯＵＲＣＥ  ＳＴＡＴＵＳ  ＵＰＤＡＴＥメッセージのＩＥを説明するための図である。図６の下線部以外は、３ＧＰＰ規格で規定されるＲＥＳＯＵＲＣＥ  ＳＴＡＴＵＳ  ＵＰＤＡＴＥメッセージのＩＥと同じである（例えば、３ＧＰＰ  ＴＳ  ３６．４２３  V１０．１．０  「ＲＥＳＯＵＲＣＥ  ＳＴＡＴＵＳ  ＵＰＤＡＴＥ」参照）。
【００６５】
図６に示すように、ＲＥＳＯＵＲＣＥ  ＳＴＡＴＵＳ  ＵＰＤＡＴＥメッセージは、現行のＲＥＳＯＵＲＣＥ  ＳＴＡＴＵＳ  ＵＰＤＡＴＥメッセージのＩＥに加えて、蓄電残量情報としてのＢａｔｔｅｒｙ  Ｓｔａｔｕｓ  ＩＥを含む。
【００６６】
なお、ＲＥＳＯＵＲＣＥ  ＳＴＡＴＵＳ  ＵＰＤＡＴＥメッセージは、セル単位で送信される。このため、１つの基地局が複数のセルを形成する場合であって、複数のセル毎に異なるバッテリー１２を搭載する場合には、セル毎に異なるＢａｔｔｅｒｙ  Ｓｔａｔｕｓ  ＩＥを送信できる。
【００６７】
（４）移動通信システムの動作
次に、本実施形態に係る移動通信システム１の動作を説明する。図７は、移動通信システム１の動作シーケンス図である。以下では、基地局１０−１が備えるバッテリーをバッテリー１２−１と称し、基地局１０−２が備えるバッテリーをバッテリー１２−２と称する。なお、基地局１０−２は、基地局１０−１に隣接する基地局である。
【００６８】
図７に示すように、ステップＳ１０１において、基地局１０−１は、バッテリー１２−１の蓄電残量を測定する。
【００６９】
ステップＳ１０２において、基地局１０−２は、バッテリー１２−２の蓄電残量を測定する。
【００７０】
ステップＳ１０３において、基地局１０−１は、ステップＳ１０１で測定したバッテリー１２−１の蓄電残量を閾値Ａと比較する。基地局１０−１の蓄電残量が閾値Ａ以上である場合には、ステップＳ１０１の処理に戻る。
【００７１】
一方、基地局１０−１の蓄電残量が閾値Ａ未満である場合には、ステップＳ１０４において、基地局１０−１は、基地局１０−２に対して、Ｂａｔｔｅｒｙ  Ｓｔａｔｕｓを指定したＲｅｐｏｒｔ  Ｃｈａｒａｃｔｅｒｉｓｔｉｃｓを含んだＲｅｓｏｕｒｃｅ  Ｓｔａｔｕｓ  ＲｅｑｕｅｓｔメッセージをＸ２インターフェース上で送信する。基地局１０−２は、該Ｒｅｓｏｕｒｃｅ  Ｓｔａｔｕｓ  ＲｅｑｕｅｓｔメッセージをＸ２インターフェース上で受信する。
【００７２】
ステップＳ１０５において、基地局１０−２は、バッテリー１２−２の蓄電残量を閾値Ｂと比較する。バッテリー１２−２の蓄電残量が閾値Ｂ未満である場合には、ステップＳ１０６において、基地局１０−２は、基地局１０−１に対して、Ｒｅｓｏｕｒｃｅ  Ｓｔａｔｕｓ  ＦａｉｌｕｒｅメッセージをＸ２インターフェース上で送信する。基地局１０−１は、Ｒｅｓｏｕｒｃｅ  Ｓｔａｔｕｓ  ＦａｉｌｕｒｅメッセージをＸ２インターフェース上で受信する。その後、ステップＳ１０２の処理に戻る。
【００７３】
一方、バッテリー１２−２の蓄電残量が閾値Ｂ以上である場合には、ステップＳ１０７において、基地局１０−２は、基地局１０−１に対して、Ｒｅｓｏｕｒｃｅ  Ｓｔａｔｕｓ  ＲｅｓｐｏｎｓｅメッセージをＸ２インターフェース上で送信する。基地局１０−１は、Ｒｅｓｏｕｒｃｅ  Ｓｔａｔｕｓ  ＲｅｓｐｏｎｓｅメッセージをＸ２インターフェース上で受信する。
【００７４】
ステップＳ１０７におけるＲｅｓｏｕｒｃｅ  Ｓｔａｔｕｓ  Ｒｅｓｐｏｎｓｅメッセージの送受信の後、ステップＳ１０８において、基地局１０−１は、バッテリー１２−１の蓄電残量を測定する。一方、ステップＳ１０９において、基地局１０−２は、バッテリー１２−２の蓄電残量を測定する。
【００７５】
ステップＳ１１０において、基地局１０−２は、基地局１０−１に対して、周期的に、Ｂａｔｔｅｒｙ  Ｓｔａｔｕｓ  ＩＥを含んだＲｅｓｏｕｒｃｅ  Ｓｔａｔｕｓ  ＵｐｄａｔｅメッセージをＸ２インターフェース上で送信する。基地局１０−１は、Ｂａｔｔｅｒｙ  Ｓｔａｔｕｓ  ＩＥを含んだＲｅｓｏｕｒｃｅ  Ｓｔａｔｕｓ  ＵｐｄａｔｅメッセージをＸ２インターフェース上で受信する。
【００７６】
ステップＳ１１１において、基地局１０−１は、バッテリー１２−１の蓄電残量と、Ｂａｔｔｅｒｙ  Ｓｔａｔｕｓ  ＩＥによって示されるバッテリー１２−２の蓄電残量とを比較する。バッテリー１２−１の蓄電残量が、バッテリー１２−２の蓄電残量以上である場合には、ステップＳ１０８の処理に戻る。
【００７７】
一方、基地局１０−１の蓄電残量が、基地局１０−２の蓄電残量未満である場合には、ステップＳ１１２において、基地局１０−１は、基地局１０−１の負荷を減らすとともに基地局１０−２の負荷を増やすための処理を行う。例えば、基地局１０−１は、ハンドオーバパラメータとしてのオフセット値を調整する。ハンドオーバパラメータは、基地局１０においてハンドオーバの判断に使用される。あるいは、ハンドオーバパラメータは、基地局１０から無線端末２０に通知されて、無線端末２０においてメジャメントレポートの送信判断に使用される。
【００７８】
ここで、オフセット値の使用例を説明する。無線端末２０が基地局１０−１及び基地局１０−２のそれぞれから無線信号を受信可能な場合において、基地局１０−１に対応する受信電力（以下、ＲＳＲＰ１）と、基地局１０−２に対応する受信電力（以下、ＲＳＲＰ２）とを比較する前に、ＲＳＲＰ２を高く補正するためのオフセット値をＲＳＲＰ２に加える。こうすることで、オフセット後のＲＳＲＰ２がＲＳＲＰ１を上回る可能性が高まる。よって、基地局１０−２が優先的に接続先（ハンドオーバ先）として選択されるようになり、基地局１０−１のカバレッジを縮小するとともに、基地局１０−２のカバレッジを拡大できる。なお、不要なハンドオーバを避けるために、オフセット値は、隣接する基地局の対で共有する。
【００７９】
ステップＳ１１３において、基地局１０−１は、基地局１０−２に対して、ステップＳ１１２で決定したオフセット値を含んだＭｏｂｉｌｉｔｙ  Ｃｈａｎｇｅ  ＲｅｑｕｅｓｔメッセージをＸ２インターフェース上で送信する。基地局１０−２は、該オフセット値を含んだＭｏｂｉｌｉｔｙ  Ｃｈａｎｇｅ  ＲｅｑｕｅｓｔメッセージをＸ２インターフェース上で受信する。
【００８０】
ステップＳ１１４において、基地局１０−２は、基地局１０−１に対して、Ｍｏｂｉｌｉｔｙ  Ｃｈａｎｇｅ  Ｒｅｑｕｅｓｔメッセージに対する肯定応答であるＭｏｂｉｌｉｔｙ  Ｃｈａｎｇｅ  ＡｃｋｎｏｗｌｅｄｇｅメッセージをＸ２インターフェース上で送信する。基地局１０−１は、Ｍｏｂｉｌｉｔｙ  Ｃｈａｎｇｅ  ＡｃｋｎｏｗｌｅｄｇｅメッセージをＸ２インターフェース上で受信する。
【００８１】
ステップＳ１１５において、基地局１０−１は、ハンドオーバパラメータとしてのオフセット値を設定する。ステップＳ１１６において、基地局１０−２は、ステップＳ１１３で受信したＭｏｂｉｌｉｔｙ  Ｃｈａｎｇｅ  Ｒｅｑｕｅｓｔメッセージに含まれる、ハンドオーバパラメータとしてのオフセット値を設定する。
【００８２】
なお、ステップＳ１１６以降において、バッテリー１２−１の蓄電残量が閾値Ａ以上に復帰した場合には、基地局１０−１は、基地局１０−２に対して、Ｂａｔｔｅｒｙ  Ｓｔａｔｕｓの測定・送信の停止を要求するためのＲｅｇｉｓｔｒａｔｉｏｎ  Ｒｅｑｕｅｓｔ  ＩＥ（図５参照）を含んだＲｅｓｏｕｒｃｅ  Ｓｔａｔｕｓ  ＲｅｑｕｅｓｔメッセージをＸ２インターフェース上で送信する。基地局１０−２は、該Ｒｅｓｏｕｒｃｅ  Ｓｔａｔｕｓ  ＲｅｑｕｅｓｔメッセージをＸ２インターフェース上で受信し、Ｒｅｓｏｕｒｃｅ  Ｓｔａｔｕｓ  Ｕｐｄａｔｅメッセージの送信を停止する。
【００８３】
（５）実施形態の効果
以上説明したように、基地局１０−１は、基地局１０−２への要求により、該基地局１０−２が備えるバッテリー１２−２の蓄電残量を示すＢａｔｔｅｒｙ  Ｓｔａｔｕｓ  ＩＥを得ることができる。これにより、基地局１０−１が備えるバッテリー１２−１の蓄電残量と基地局１０−２が備えるバッテリー１２−２の蓄電残量とを考慮してＳＯＮを実施することができる。
【００８４】
本実施形態では、基地局１０−１は、バッテリー１２−１の蓄電残量が閾値Ａ以上である場合に、Ｂａｔｔｅｒｙ  Ｓｔａｔｕｓ  ＩＥを要求するためのＲＥＳＯＵＲＣＥ  ＳＴＡＴＵＳ  ＲＥＱＵＥＳＴメッセージを送信しないよう制御する。これにより、基地局１０−１が備えるバッテリー１２−１の蓄電残量が多く、基地局１０−１の負荷を減らす負荷分散制御を行う必要がない場合には、基地局１０−２へのＲＥＳＯＵＲＣＥ  ＳＴＡＴＵＳ  ＲＥＱＵＥＳＴメッセージを送信しないことによって、基地局間のシグナリングを抑制し、基地局間のトラフィックを削減できる。
【００８５】
本実施形態では、基地局１０−１は、バッテリー１２−１の蓄電残量と基地局１０−２が備えるバッテリー１２−２の蓄電残量とを比較し、各蓄電残量を平準化するように負荷分散制御を行うことができる。その結果、バッテリーの蓄電残量が不足することによって通信が不能になるといった問題の発生を抑制できる。
【００８６】
本実施形態では、基地局１０−１が備えるバッテリー１２−１と比して、基地局１０−２が備えるバッテリー１２−２の蓄電残量に余裕がある場合には、基地局１０−１の負荷の一部を該基地局１０−２に転嫁することによって、基地局１０−１の消費電力を削減できる。これにより、基地局１０−１が備えるバッテリー１２−１の蓄電残量が不足することによって通信が不能になるといった問題の発生を抑制できる。
【００８７】
本実施形態では、閾値Ａは、バッテリー１２−１の過放電を示す下限値よりも高い値に設定されているため、バッテリー１２−１が過放電の状態になる手前で、負荷分散制御を開始することが可能になる。よって、基地局１０−１が備えるバッテリー１２−１が過放電の状態になることを防止できる。
【００８８】
本実施形態では、新たなメッセージを定義することなく、３ＧＰＰ規格で規定されるメッセージに蓄電残量情報のＩＥを追加することによって、現行規格との互換性を保つことができる。
【００８９】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００９０】
上述した実施形態では、基地局１０−１は、自局の蓄電残量が閾値Ａ未満になった場合に、Ｂａｔｔｅｒｙ  Ｓｔａｔｕｓ  ＩＥを要求するためのＲＥＳＯＵＲＣＥ  ＳＴＡＴＵＳ  ＲＥＱＵＥＳＴメッセージを基地局１０−２へ送信していた。しかしながら、このような閾値Ａとの比較に限らず、基地局１０−１の蓄電残量が急激な低下を示した（単位時間内の蓄電残量の低下量が所定量を超えた）場合に、該蓄電残量が近い将来不足すると予測して、Ｂａｔｔｅｒｙ  Ｓｔａｔｕｓ  ＩＥを要求するためのＲＥＳＯＵＲＣＥ  ＳＴＡＴＵＳ  ＲＥＱＵＥＳＴメッセージを基地局１０−２へ送信してもよい。
【００９１】
上述した実施形態では、Ｘ２インターフェース上でメッセージを送受信する一例を説明したが、Ｓ１インターフェース上でメッセージを送受信してもよい。この場合、ＭＭＥが、基地局１０間で送受信されるメッセージを中継してもよい。
【００９２】
上述した実施形態では、基地局１０−１が収容すべき無線端末２０の数を減らすように負荷分散制御を行っていたが、以下のような制御でもよい。詳細には、基地局１０−１は、基地局１０−２の蓄電残量と自局の蓄電残量とを比較した結果、基地局１０−２の蓄電残量の方が少ないと判断した場合、自局が収容すべき無線端末２０の数を増やす負荷分散制御を行ってもよい。例えば、ハンドオーバ先として自局が優先されるようにハンドオーバ処理を行う、又はハンドオーバパラメータを調整する。あるいは、待ち受け先として自局が優先されるようにセル再選択パラメータを調整してもよい。
【００９３】
このように本発明は、ここでは記載していない様々な実施形態等を包含するということを理解すべきである。
【符号の説明】
【００９４】
１…移動通信システム、１０…基地局、１１…ＰＶ、１２…バッテリー、１３…通信部、１４…電力伝達手段、１５…測定部、１６…記憶部、１７…制御部、１８…基地局本体、２０…無線端末、１３１…無線通信部、１３２…ネットワーク通信部、１４４…ＳＷ、１７１…通信制御部、１７２…電力制御部
【図１】
2013021428.tif 000003
【図２】
2013021428.tif 000004
【図３】
2013021428.tif 000005
【図４】
2013021428.tif 000006
【図５】
2013021428.tif 000007
【図６】
2013021428.tif 000008
【図７】
2013021428.tif 000009